(57)【要約】【課題】低消費電力で情報を復調することができる復調装置、受信装置、無線通信システム、復調方法、受信方法及び無線通信方法を提供する。【解決手段】情報検出回路は、遅延素子２７１ｉ、（１≦ｉ≦ｎ−１）においてｉＬ／ｎだけ遅らさせて出力され、単位フレーム期間Ｌを周期とする第２のクロック信号をトリガとして、ディレイドフリップフロップ２７２ｉにＴ＝ｉＬ／ｎに入力された２値信号をラッチして出力する。出力された２値信号は、情報メモリ２７３に入力される。Ｔ＝（ｎ−１）Ｌ／ｎになると、情報メモリ２７３は、遅延素子２７１（ｎー１）から供給される第２のクロック信号をトリガとして、入力されたＴ＝ｉＬ／ｎでの２値信号をラッチして格納することにより情報メモリ２７３１に単位フレーム分の２値信号を格納する。【選択図】  図９
2004320086.tif 000002
【特許請求の範囲】
【請求項１】
同期信号が所定パターンで配置されている同期フレームと、複数のスロットから構成され、情報に応じて所定スロットにパルス信号が配置されている情報フレームと、を備える受信信号から該同期信号を検出する同期信号検出手段と、
前記同期信号検出手段による同期信号の検出に応答して前記情報フレームの先頭スロットが入力されるタイミングに第１のクロック信号を出力するクロック信号出力手段と、
前記第１のクロック信号を所定期間遅延させて前記情報フレームの各スロットが入力されるタイミング毎に遅延クロック信号を出力する第１の遅延手段と、
前記クロック信号出力手段により出力された第１のクロック信号と前記遅延手段より出力された遅延クロック信号とのタイミングに合わせてパルス信号の有無を判別することにより、前記パルス信号が配置された前記所定スロットを検出するスロット検出手段と、
前記スロット検出手段により検出された所定スロットに応じて前記情報を復調する復調手段と、
を備える復調装置。
【請求項２】
単位情報フレーム期間をＬ、単位情報フレームあたりのスロット数をｎ（ｎは２以上の整数）、情報フレーム数をｋ（ｋは自然数）、としたとき、
前記第１の遅延手段は、前記クロック信号出力手段から第１のクロック信号が出力されたタイミングからＬ／ｎ、２Ｌ／ｎ、…、（ｋ・ｎ−１）Ｌ／ｎ後のタイミングに前記遅延クロック信号を出力する、
ことを特徴とする請求項１に記載の復調装置。
【請求項３】
前記第１の遅延手段は、直列に接続され、入力された信号を単位スロット期間Ｌ／ｎだけ遅延させて出力する（ｋ・ｎ−１）個の第１の遅延素子から構成されている、
ことを特徴とする請求項２に記載の復調装置。
【請求項４】
前記第１の遅延手段は、並列に接続され、入力された信号を夫々、Ｌ／ｎ、２Ｌ／ｎ、…、（ｋ・ｎ−１）Ｌ／ｎだけ遅延させて出力する第１の遅延素子と、第２の遅延素子と、…、第（ｋ・ｎ−１）の遅延素子と、から構成されている、
ことを特徴とする請求項２に記載の復調装置。
【請求項５】
前記クロック信号出力手段から第１のクロック信号が出力されたタイミングをＴ＝０としたとき、
前記スロット検出手段は、Ｔ＝０のタイミングに前記クロック信号出力手段から出力される第１のクロック信号と、Ｔ＝Ｌ／ｎ、Ｔ＝２Ｌ／ｎ、…、Ｔ＝（ｋ・ｎ−１）Ｌ／ｎのタイミングに前記第１の遅延手段から出力される遅延クロック信号と、を夫々トリガとして前記受信信号をラッチして出力する第１のフリップフロップと、第２のフリップフロップと、第３のフリップフロップと、…、第ｋ・ｎのフリップフロップと、を備える、
ことを特徴とする請求項２乃至請求項４のいずれか１項に記載の復調装置。
【請求項６】
前記スロット検出手段は、Ｔ＝（ｋ・ｎ−１）Ｌ／ｎのタイミングに前記第１の遅延手段から出力される遅延クロック信号をトリガとして、第１のフリップフロップと、第２のフリップフロップと、第３のフリップフロップと、…、第ｋ・ｎのフリップフロップと、から夫々出力されるＴ＝０、Ｔ＝Ｌ／ｎ、…、Ｔ＝（ｋ・ｎ−１）Ｌ／ｎのタイミングにおける受信信号をラッチして格納する格納手段をさらに備える、
ことを特徴とする請求項５に記載の復調装置。
【請求項７】
前記同期フレームは、ｍ個（ｍは２以上の整数）のスロットから構成されるｉ（ｉは自然数）個の単位同期フレームから構成され、該単位同期フレーム期間をＤとしたとき、
同期信号検出手段は、直列に接続され、入力された信号を単位スロット期間Ｄ／ｍだけ遅延させて出力する（ｉ・ｍ−１）個の第ｋ・ｎの遅延素子から構成され、前記受信信号が入力されたタイミングからＤ／ｍ、２Ｄ／ｍ、…、（ｉ・ｍ−１）Ｄ／ｍ後のタイミングに遅延受信信号を出力する第２の遅延手段と、
単位スロット期間Ｄ／ｍを１周期とする第２のクロック信号をトリガとして、前記受信信号と、前記受信信号が入力されたタイミングからＤ／ｍ、２Ｄ／ｍ、…、（ｉ・ｍ−１）Ｄ／ｍ後のタイミングに前記第２の遅延手段から出力される遅延受信信号と、をラッチして出力する第（ｋ・ｎ＋１）のフリップフロップと、第（ｋ・ｎ＋２）のフリップフロップと、第（ｋ・ｎ＋３）のフリップフロップと、…、第（ｋ・ｎ＋ｉ・ｍ）のフリップフロップと、
前記第（ｋ・ｎ＋１）のフリップフロップと、第（ｋ・ｎ＋２）のフリップフロップと、…、第（ｋ・ｎ＋ｉ・ｍ）のフリップフロップと、からラッチして出力された前記受信信号と前記遅延受信信号とのパターンが前記同期信号の所定パターンに一致しているか否かを検出する論理回路と、を備える、
ことを特徴とする請求項２乃至請求項６のいずれか１項に記載の復調装置。
【請求項８】
同期信号が所定パターンで配置されている同期フレームと、複数のスロットから構成され、情報に応じて所定スロットにパルス信号が配置されている情報フレームと、を備える受信信号から該同期信号を検出する同期信号検出手段と、
前記同期信号検出手段による同期信号の検出に応答して前記情報フレームの末尾スロットが入力されるタイミングを検出するタイミング検出手段と、
前記受信信号を所定期間遅延させて前記タイミング検出手段により検出されたタイミングに遅延受信信号をスロット単位で出力する遅延手段と、
前記末尾スロットの受信信号と前記遅延手段により出力されたスロット単位の遅延受信信号とからパルス信号を検出するとともに、パルス信号が検出されたスロットを特定するスロット特定手段と、
前記スロット特定手段により特定されたスロットに応じて前記情報を復調する復調手段と、
を備える復調装置。
【請求項９】
単位情報フレーム期間をＬ、単位情報フレームあたりのスロット数をｎ（ｎは２以上の整数）、情報フレーム数をｋ（ｋは自然数）、としたとき、
前記タイミング検出手段は、前記情報フレームの末尾スロットが入力されるタイミングにクロック信号を出力するクロック信号生成手段をさらに備え、
前記遅延手段は、直列に接続され、入力された信号を単位スロット期間Ｌ／ｎだけ遅延させて出力する（ｋ・ｎ−１）個の遅延素子から構成され、前記受信信号が入力されたタイミングからＬ／ｎ、２Ｌ／ｎ、…、（ｋ・ｎ−１）Ｌ／ｎ後のタイミングに前記遅延受信信号を出力し、
前記スロット特定手段は、前記クロック信号生成手段により出力されたクロック信号をトリガとして、前記受信信号と、前記受信信号が入力されたタイミングからＬ／ｎ、２Ｌ／ｎ、…、（ｋ・ｎ−１）Ｌ／ｎ後のタイミングに前記遅延手段から出力される遅延受信信号と、をラッチして出力する第１のフリップフロップと、第２のフリップフロップと、第３のフリップフロップと、…、第ｋ・ｎのフリップフロップと、を備える、
ことを特徴とする請求項８に記載の復調装置。
【請求項１０】
前記復調装置は、ＵＷＢ（Ｕｌｔｒａ  Ｗｉｄｅ  Ｂａｎｄ）通信方式で受信された信号を復調する、
ことを特徴とする請求項１乃至請求項９に記載の復調装置。
【請求項１１】
同期信号が所定パターンで配置されている同期フレームと、複数のスロットから構成され、情報に応じて所定スロットにパルス信号が配置されている情報フレームと、を備える信号を受信する受信手段と、
前記受信手段において受信した信号から前記同期信号を検出する同期信号検出手段と、
前記同期信号検出手段による同期信号の検出に応答して前記情報フレームの先頭スロットが入力されるタイミングにクロック信号を出力するクロック信号出力手段と、
前記クロック信号を所定期間遅延させて前記情報フレームの各スロットが入力されるタイミング毎に遅延クロック信号を出力する遅延手段と、
前記クロック信号出力手段により出力されたクロック信号と前記遅延手段より出力された遅延クロック信号とのタイミングに合わせてパルス信号の有無を判別することにより、前記パルス信号が配置された前記所定スロットを検出するスロット検出手段と、
前記スロット検出手段により検出された所定スロットに応じて前記情報を復調して出力する復調手段と、
を備える受信装置。
【請求項１２】
前記受信装置は、ＵＷＢ（Ｕｌｔｒａ  Ｗｉｄｅ  Ｂａｎｄ）通信方式で送信された信号を受信する、
ことを特徴とする請求項１１に記載の受信装置。
【請求項１３】
同期信号が所定パターンで配置されている同期フレームと、複数のスロットから構成され、情報に応じて所定スロットにパルス信号が配置されている情報フレームと、を備える信号を送信する送信装置と、
前記送信装置により送信された信号を受信し、該受信信号から前記同期信号を検出し、該同期信号の検出に応答して前記情報フレームの先頭スロットが入力されるタイミングにクロック信号を出力し、該クロック信号を所定期間遅延させて該情報フレームの各スロットが入力されるタイミング毎に遅延クロック信号を出力し、該出力したクロック信号と該出力した遅延クロック信号とのタイミングに合わせてパルス信号の有無を判別することにより、該パルス信号が配置された前記所定スロットを検出し、該検出した所定スロットに応じて前記情報を復調して出力する受信装置と、
を備える無線通信システム。
【請求項１４】
前記無線通信システムは、ＵＷＢ（Ｕｌｔｒａ  Ｗｉｄｅ  Ｂａｎｄ）通信方式で無線通信する、
ことを特徴とする請求項１３に記載の無線通信システム。
【請求項１５】
同期信号が所定パターンで配置されている同期フレームと、複数のスロットから構成され、情報に応じて所定スロットにパルス信号が配置されている情報フレームと、を備える受信信号から該同期信号を検出する同期信号検出工程と、
前記同期信号検出工程による同期信号の検出に応答して前記情報フレームの先頭スロットが入力されるタイミングにクロック信号を出力するクロック信号出力工程と、
前記クロック信号を所定期間遅延させて前記情報フレームの各スロットが入力されるタイミング毎に遅延クロック信号を出力する遅延工程と、
前記クロック信号出力工程により出力されたクロック信号と前記遅延工程より出力された遅延クロック信号とのタイミングに合わせてパルス信号の有無を判別することにより、前記パルス信号が配置された前記所定スロットを検出するスロット検出工程と、
前記スロット検出工程により検出された所定スロットに応じて前記情報を復調する復調工程と、
を備える復調方法。
【請求項１６】
同期信号が所定パターンで配置されている同期フレームと、複数のスロットから構成され、情報に応じて所定スロットにパルス信号が配置されている情報フレームと、を備える信号を受信する受信工程と、
前記受信工程において受信した信号から前記同期信号を検出する同期信号検出工程と、
前記同期信号検出工程による同期信号の検出に応答して前記情報フレームの先頭スロットが入力されるタイミングにクロック信号を出力するクロック信号出力工程と、
前記クロック信号を所定期間遅延させて前記情報フレームの各スロットが入力されるタイミング毎に遅延クロック信号を出力する遅延工程と、
前記クロック信号出力工程により出力されたクロック信号と前記遅延工程より出力された遅延クロック信号とのタイミングに合わせてパルス信号の有無を判別することにより、前記パルス信号が配置された前記所定スロットを検出するスロット検出工程と、
前記スロット検出工程により検出された所定スロットに応じて前記情報を復調して出力する復調工程と、
を備える受信方法。
【請求項１７】
同期信号が所定パターンで配置されている同期フレームと、複数のスロットから構成され、情報に応じて所定スロットにパルス信号が配置されている情報フレームと、を備える信号を送信する送信工程と、
前記送信工程により送信された情報を受信する受信工程と、
前記受信工程において受信した信号から前記同期信号を検出する同期信号検出工程と、
前記同期信号検出工程による同期信号の検出に応答して前記情報フレームの先頭スロットが入力されるタイミングにクロック信号を出力するクロック信号出力工程と、
前記クロック信号を所定期間遅延させて前記情報フレームの各スロットが入力されるタイミング毎に遅延クロック信号を出力する遅延工程と、
前記クロック信号出力工程により出力されたクロック信号と前記遅延工程より出力された遅延クロック信号とのタイミングに合わせてパルス信号の有無を判別することにより、前記パルス信号が配置された前記所定スロットを検出するスロット検出工程と、
前記スロット検出工程により検出された所定スロットに応じて前記情報を復調して出力する復調工程と、
を備える無線通信方法。
【発明の詳細な説明】
【０００１】
【発明の属する技術分野】
本発明は、復調装置、受信装置、無線通信システム、復調方法、受信方法及び無線通信方法に関し、特に、低消費電力で情報を復調することができる復調装置、受信装置、無線通信システム、復調方法、受信方法及び無線通信方法に関する。
【０００２】
【従来の技術】
無線通信の分野において、低消費電力で高速通信が可能な通信方式としてＵＷＢ（Ｕｌｔｒａ  Ｗｉｄｅ  Ｂａｎｄ）通信が注目を集めている。このＵＷＢ通信は、非常に細かいパルス幅（例えば１ｎｓ（ナノセコンド）以下）のパルス列からなる信号を用いて、情報を伝送する伝送方式である。
【０００３】
ＵＷＢ通信の送信装置は、デジタル情報に応じてクロック信号を変調し、この変調されたクロック信号をトリガとして電気パルスを生成する。ＵＷＢ通信の送信装置は、この電気パルスから送信アンテナで電磁パルスを生成し、空中に放射することにより、デジタル情報を搬送波を用いずに送信する。
【０００４】
ＵＷＢ通信の受信装置は、受信した電磁パルスを電気パルスに変換し、変換したパルスに対してウィンドウ処理を施す。このウィンドウ処理とは、電気パルスの中心波形を取り出し、電気パルスの有無や位置の判定を行い、送信されたデジタルデータを復調することである。即ち、受信装置は、受信し、変換した電気パルスにウィンドウ処理を施し、送信装置の変調方式に対応した復調方式により、送信されたデジタル情報を復調して出力する（例えば、特許文献１参照）。
【０００５】
【特許文献１】
特開２００２−３２５０７１号公報（第６−９頁、第１図）。
【０００６】
【発明が解決しようとする課題】
上述したＵＷＢ通信システムの受信装置は、電気パルスの有無や位置の判定を行うに際し、幅１ｎｓ以下の非常に細かいパルスに対してウィンドウ処理を行うため、このパルス幅（１ｎｓ以下）の逆数の周期（数ＧＨｚ（ギガヘルツ））の動作が求められる。さらに、受信装置は、電気パルスの有無や位置の判定を正確に行うためウィンドウの中心位置を電気パルスの中心位置に合わせる必要もある。この位置合わせを行うために、受信装置には、更に細かい動作（ｐｓ（ピコセカンド）レベルの動作）が求められる。
【０００７】
一般に、電気回路の消費電力は動作周波数に比例して大きくなるものであるため、上述のようにＧＨｚレベルの動作が求められる電気回路を備える受信装置の消費電力は、非常に大きなものとなる。
【０００８】
本発明は、上記課題を解決するためになされたのもであって、低消費電力で情報を復調することができる復調装置、受信装置、無線通信システム、復調方法、受信方法及び無線通信方法を提供することを目的とする。
【０００９】
【課題を解決するための手段】
上記目的を達成するため、本発明の第１の観点に係る復調装置は、同期信号が所定パターンで配置されている同期フレームと、複数のスロットから構成され、情報に応じて所定スロットにパルス信号が配置されている情報フレームと、を備える受信信号から該同期信号を検出する同期信号検出手段と、
前記同期信号検出手段による同期信号の検出に応答して前記情報フレームの先頭スロットが入力されるタイミングに第１のクロック信号を出力するクロック信号出力手段と、
前記第１のクロック信号を所定期間遅延させて前記情報フレームの各スロットが入力されるタイミング毎に遅延クロック信号を出力する第１の遅延手段と、
前記クロック信号出力手段により出力された第１のクロック信号と前記遅延手段より出力された遅延クロック信号とのタイミングに合わせてパルス信号の有無を判別することにより、前記パルス信号が配置された前記所定スロットを検出するスロット検出手段と、
前記スロット検出手段により検出された所定スロットに応じて前記情報を復調する復調手段と、を備える。
【００１０】
また、上記構成において、単位情報フレーム期間をＬ、単位情報フレームあたりのスロット数をｎ（ｎは２以上の整数）、情報フレーム数をｋ（ｋは自然数）、としたとき、
前記第１の遅延手段は、前記クロック信号出力手段から第１のクロック信号が出力されたタイミングからＬ／ｎ、２Ｌ／ｎ、…、（ｋ・ｎ−１）Ｌ／ｎ後のタイミングに前記遅延クロック信号を出力してもよい。
【００１１】
さらに、上記構成において、前記第１の遅延手段は、直列に接続され、入力された信号を単位スロット期間Ｌ／ｎだけ遅延させて出力する（ｋ・ｎ−１）個の第１の遅延素子から構成されていてもよい。。
【００１２】
また、上記構成において、前記第１の遅延手段は、並列に接続され、入力された信号を夫々、Ｌ／ｎ、２Ｌ／ｎ、…、（ｋ・ｎ−１）Ｌ／ｎだけ遅延させて出力する第１の遅延素子と、第２の遅延素子と、…、第（ｋ・ｎ−１）の遅延素子と、から構成されていてもよい。
【００１３】
さらに、上記構成において、前記クロック信号出力手段から第１のクロック信号が出力されたタイミングをＴ＝０としたとき、
前記スロット検出手段は、Ｔ＝０のタイミングに前記クロック信号出力手段から出力される第１のクロック信号と、Ｔ＝Ｌ／ｎ、Ｔ＝２Ｌ／ｎ、…、Ｔ＝（ｋ・ｎ−１）Ｌ／ｎのタイミングに前記第１の遅延手段から出力される遅延クロック信号と、を夫々トリガとして前記受信信号をラッチして出力する第１のフリップフロップと、第２のフリップフロップと、第３のフリップフロップと、…、第ｋ・ｎのフリップフロップと、を備えてもよい。
【００１４】
また、上記構成において、前記スロット検出手段は、Ｔ＝（ｋ・ｎ−１）Ｌ／ｎのタイミングに前記第１の遅延手段から出力される遅延クロック信号をトリガとして、第１のフリップフロップと、第２のフリップフロップと、第３のフリップフロップと、…、第ｋ・ｎのフリップフロップと、から夫々出力されるＴ＝０、Ｔ＝Ｌ／ｎ、…、Ｔ＝（ｋ・ｎ−１）Ｌ／ｎのタイミングにおける受信信号をラッチして格納する格納手段をさらに備えてもよい。
【００１５】
さらに、上記構成において、前記同期フレームは、ｍ個（ｍは２以上の整数）のスロットから構成されるｉ（ｉは自然数）個の単位同期フレームから構成され、該単位同期フレーム期間をＤとしたとき、
同期信号検出手段は、直列に接続され、入力された信号を単位スロット期間Ｄ／ｍだけ遅延させて出力する（ｉ・ｍ−１）個の第ｋ・ｎの遅延素子から構成され、前記受信信号が入力されたタイミングからＤ／ｍ、２Ｄ／ｍ、…、（ｉ・ｍ−１）Ｄ／ｍ後のタイミングに遅延受信信号を出力する第２の遅延手段と、
単位スロット期間Ｄ／ｍを１周期とする第２のクロック信号をトリガとして、前記受信信号と、前記受信信号が入力されたタイミングからＤ／ｍ、２Ｄ／ｍ、…、（ｉ・ｍ−１）Ｄ／ｍ後のタイミングに前記第２の遅延手段から出力される遅延受信信号と、をラッチして出力する第（ｋ・ｎ＋１）のフリップフロップと、第（ｋ・ｎ＋２）のフリップフロップと、第（ｋ・ｎ＋３）のフリップフロップと、…、第（ｋ・ｎ＋ｉ・ｍ）のフリップフロップと、
前記第（ｋ・ｎ＋１）のフリップフロップと、第（ｋ・ｎ＋２）のフリップフロップと、…、第（ｋ・ｎ＋ｉ・ｍ）のフリップフロップと、からラッチして出力された前記受信信号と前記遅延受信信号とのパターンが前記同期信号の所定パターンに一致しているか否かを検出する論理回路と、を備えてもよい。
【００１６】
上記目的を達成するため、本発明の第２の観点に係る復調装置は、同期信号が所定パターンで配置されている同期フレームと、複数のスロットから構成され、情報に応じて所定スロットにパルス信号が配置されている情報フレームと、を備える受信信号から該同期信号を検出する同期信号検出手段と、
前記同期信号検出手段による同期信号の検出に応答して前記情報フレームの末尾スロットが入力されるタイミングを検出するタイミング検出手段と、
前記受信信号を所定期間遅延させて前記タイミング検出手段により検出されたタイミングに遅延受信信号をスロット単位で出力する遅延手段と、
前記末尾スロットの受信信号と前記遅延手段により出力されたスロット単位の遅延受信信号とからパルス信号を検出するとともに、パルス信号が検出されたスロットを特定するスロット特定手段と、
前記スロット特定手段により特定されたスロットに応じて前記情報を復調する復調手段と、を備える。
【００１７】
また、上記構成において、単位情報フレーム期間をＬ、単位情報フレームあたりのスロット数をｎ（ｎは２以上の整数）、情報フレーム数をｋ（ｋは自然数）、としたとき、
前記タイミング検出手段は、前記情報フレームの末尾スロットが入力されるタイミングにクロック信号を出力するクロック信号生成手段をさらに備え、
前記遅延手段は、直列に接続され、入力された信号を単位スロット期間Ｌ／ｎだけ遅延させて出力する（ｋ・ｎ−１）個の遅延素子から構成され、前記受信信号が入力されたタイミングからＬ／ｎ、２Ｌ／ｎ、…、（ｋ・ｎ−１）Ｌ／ｎ後のタイミングに前記遅延受信信号を出力し、
前記スロット特定手段は、前記クロック信号生成手段により出力されたクロック信号をトリガとして、前記受信信号と、前記受信信号が入力されたタイミングからＬ／ｎ、２Ｌ／ｎ、…、（ｋ・ｎ−１）Ｌ／ｎ後のタイミングに前記遅延手段から出力される遅延受信信号と、をラッチして出力する第１のフリップフロップと、第２のフリップフロップと、第３のフリップフロップと、…、第ｋ・ｎのフリップフロップと、を備えてもよい。
【００１８】
さらに、前記復調装置は、ＵＷＢ（Ｕｌｔｒａ  Ｗｉｄｅ  Ｂａｎｄ）通信方式で受信された信号を復調してもよい。
【００１９】
上記目的を達成するため、本発明の第３の観点に係る受信装置は、同期信号が所定パターンで配置されている同期フレームと、複数のスロットから構成され、情報に応じて所定スロットにパルス信号が配置されている情報フレームと、を備える信号を受信する受信手段と、
前記受信手段において受信した信号から前記同期信号を検出する同期信号検出手段と、
前記同期信号検出手段による同期信号の検出に応答して前記情報フレームの先頭スロットが入力されるタイミングにクロック信号を出力するクロック信号出力手段と、
前記クロック信号を所定期間遅延させて前記情報フレームの各スロットが入力されるタイミング毎に遅延クロック信号を出力する遅延手段と、
前記クロック信号出力手段により出力されたクロック信号と前記遅延手段より出力された遅延クロック信号とのタイミングに合わせてパルス信号の有無を判別することにより、前記パルス信号が配置された前記所定スロットを検出するスロット検出手段と、
前記スロット検出手段により検出された所定スロットに応じて前記情報を復調して出力する復調手段と、を備える。
【００２０】
また、前記受信装置は、ＵＷＢ（Ｕｌｔｒａ  Ｗｉｄｅ  Ｂａｎｄ）通信方式で送信された信号を受信してもよい。
【００２１】
上記目的を達成するため、本発明の第４の観点に係る無線通信システムは、同期信号が所定パターンで配置されている同期フレームと、複数のスロットから構成され、情報に応じて所定スロットにパルス信号が配置されている情報フレームと、を備える信号を送信する送信装置と、
前記送信装置により送信された信号を受信し、該受信信号から前記同期信号を検出し、該同期信号の検出に応答して前記情報フレームの先頭スロットが入力されるタイミングにクロック信号を出力し、該クロック信号を所定期間遅延させて該情報フレームの各スロットが入力されるタイミング毎に遅延クロック信号を出力し、該出力したクロック信号と該出力した遅延クロック信号とのタイミングに合わせてパルス信号の有無を判別することにより、該パルス信号が配置された前記所定スロットを検出し、該検出した所定スロットに応じて前記情報を復調して出力する受信装置と、を備える。
【００２２】
また、前記無線通信システムは、ＵＷＢ（Ｕｌｔｒａ  Ｗｉｄｅ  Ｂａｎｄ）通信方式で無線通信してもよい。
【００２３】
上記目的を達成するため、本発明の第５の観点に係る復調方法は、同期信号が所定パターンで配置されている同期フレームと、複数のスロットから構成され、情報に応じて所定スロットにパルス信号が配置されている情報フレームと、を備える受信信号から該同期信号を検出する同期信号検出工程と、
前記同期信号検出工程による同期信号の検出に応答して前記情報フレームの先頭スロットが入力されるタイミングにクロック信号を出力するクロック信号出力工程と、
前記クロック信号を所定期間遅延させて前記情報フレームの各スロットが入力されるタイミング毎に遅延クロック信号を出力する遅延工程と、
前記クロック信号出力工程により出力されたクロック信号と前記遅延工程より出力された遅延クロック信号とのタイミングに合わせてパルス信号の有無を判別することにより、前記パルス信号が配置された前記所定スロットを検出するスロット検出工程と、
前記スロット検出工程により検出された所定スロットに応じて前記情報を復調する復調工程と、を備える。
【００２４】
上記目的を達成するため、本発明の第６の観点に係る受信方法は、同期信号が所定パターンで配置されている同期フレームと、複数のスロットから構成され、情報に応じて所定スロットにパルス信号が配置されている情報フレームと、を備える信号を受信する受信工程と、
前記受信工程において受信した信号から前記同期信号を検出する同期信号検出工程と、
前記同期信号検出工程による同期信号の検出に応答して前記情報フレームの先頭スロットが入力されるタイミングにクロック信号を出力するクロック信号出力工程と、
前記クロック信号を所定期間遅延させて前記情報フレームの各スロットが入力されるタイミング毎に遅延クロック信号を出力する遅延工程と、
前記クロック信号出力工程により出力されたクロック信号と前記遅延工程より出力された遅延クロック信号とのタイミングに合わせてパルス信号の有無を判別することにより、前記パルス信号が配置された前記所定スロットを検出するスロット検出工程と、
前記スロット検出工程により検出された所定スロットに応じて前記情報を復調して出力する復調工程と、を備える。
【００２５】
上記目的を達成するため、本発明の第７の観点に係る無線通信方法は、同期信号が所定パターンで配置されている同期フレームと、複数のスロットから構成され、情報に応じて所定スロットにパルス信号が配置されている情報フレームと、を備える信号を送信する送信工程と、
前記送信工程により送信された情報を受信する受信工程と、
前記受信工程において受信した信号から前記同期信号を検出する同期信号検出工程と、
前記同期信号検出工程による同期信号の検出に応答して前記情報フレームの先頭スロットが入力されるタイミングにクロック信号を出力するクロック信号出力工程と、
前記クロック信号を所定期間遅延させて前記情報フレームの各スロットが入力されるタイミング毎に遅延クロック信号を出力する遅延工程と、
前記クロック信号出力工程により出力されたクロック信号と前記遅延工程より出力された遅延クロック信号とのタイミングに合わせてパルス信号の有無を判別することにより、前記パルス信号が配置された前記所定スロットを検出するスロット検出工程と、
前記スロット検出工程により検出された所定スロットに応じて前記情報を復調して出力する復調工程と、を備える。
【００２６】
【発明の実施の形態】
本発明の実施の形態に係るＵＷＢ通信システムについて説明する。
【００２７】
ＵＷＢ通信とは、極めて広い周波数帯域（超広帯域）を使って通信する技術であり、搬送波を使わずに、非常に細かいパルス幅（例えば１ｎｓ以下）のパルス（インパルス）列からなる信号を用いて、情報を伝送する伝送方式である。
【００２８】
ＵＷＢ通信の第１のメリットは、インパルスを用いることにより、単位時間当たりにより多くの情報を伝送できることである。例えば、パルス幅が１ｎｓのパルスを用いれば、例えば、１ビットのデータを１秒間に１０億個（１ギガビットのデータ）を伝送することができる。
【００２９】
ＵＷＢ通信の第２のメリットは、搬送波を用いずにパルスを送信するため、送信側の消費電力を低減できることである。これは、搬送波を用いる場合、送信側にて常に電波を発信し続けなければならないのに対し、搬送波を用いない場合、パルスを発信するタイミングにだけ電圧等を印加すればよいためである。
【００３０】
ＵＷＢ通信の第３のメリットは、極めて広い周波数帯域を使って通信するため、ノイズの影響を受けにくいということである。例えば、ある周波数成分にノイズが発生したとしても、影響を受けるのは、インパルスを構成する周波数成分の一部である。このため、受信側において、情報の受信（例えば、１ビットのデータ値の判別）には、ほとんど不都合が生じない。
【００３１】
上述のメリットを有する本発明の実施の形態に係るＵＷＢ通信システム１の構成について図面を参照して説明する。
【００３２】
ＵＷＢ通信システム１は、図１に示す送信装置１０と、図２に示す受信装置２０と、から構成される。
【００３３】
送信装置１０は、図１に示すように、情報源１１と、データバッファ１２と、基準信号生成部１３と、同期信号生成部１４と、変調部１５と、加算器１６と、バンドパスフィルタ１７と、送信アンテナ１８と、から構成されている。送信装置１０は、同期信号に送信対象のデジタル情報に応じて位置変調（Ｐｌｕｓｅ  Ｐｏｓｉｔｉｏｎ  Ｍｏｄｕｌａｔｉｏｎ）されたクロック信号を加算して加算信号を生成し、この加算信号から生成されたパルス列を搬送波を用いずに送信する。なお、位置変調とは、送信対象のデジタル情報の０／１に応じてフレーム内でのパルスの配置を変更する変調方式をいう。
【００３４】
情報源１１は、送信対象である”０”と”１”とからなるデジタル情報を生成して出力する。
【００３５】
データバッファ１２は、情報源１１から出力されたデジタル情報を順次蓄積し、基準信号生成部１３から供給される基準信号がローレベルになると、該格納したデジタル情報を変調部１５に供給する。
【００３６】
基準信号生成部１３は、図３Ａに示すように、ハイレベルの基準信号とローレベルの基準信号とを交互に生成し、生成した基準信号をデータバッファ１２と同期信号生成部１４とに供給する。この基準信号は、同期信号のフレーム期間Ｌだけハイレベルになり、変調信号のフレーム期間ｋ・Ｌ（ｋ：自然数、Ｌ：単位フレーム長）だけローレベルをなる。
【００３７】
同期信号生成部１４は、基準信号がハイレベルになると、図３Ｂ及び図４Ａに示すような、ｎ個のスロットから構成される同期フレームのスロットに所定パターンで配置した同期信号を生成し、加算器１６に供給する。
【００３８】
変調部１５は、ｎ個のスロットから構成される単位フレームの所定スロットにデジタル情報に応じて電気パルスを配置することにより、図３Ｃ及び図４Ｂに示す変調信号を生成して加算器１６に供給する。
【００３９】
加算器１６は、同期信号生成部１４から供給された同期信号と変調部１５から供給された変調信号とを加算して図３Ｄに示す加算信号を生成する。
【００４０】
バンドパスフィルタ１７は、加算器１６において生成された加算信号から高周波成分をカットした、図３Ｅに示す電気パルス信号を出力する。
【００４１】
送信アンテナ１８は、電気パルス信号を電磁パルス信号に変換し、変換した電磁パルス信号を空中に放射することにより、送信対象のデジタル情報を搬送波を用いずに受信装置２０に送信する。
【００４２】
受信装置２０は、図２に示すように、受信アンテナ２１と、増幅器２２と、コンパレータ２３と、第１のクロック信号生成部２４と、同期信号検出回路２５と、第２のクロック信号生成部２６と、情報検出回路２７と、復調部２８と、から構成されている。受信装置２０は、送信装置１０により空中に放射された電磁パルス信号を受信し、該電磁パルス信号を元のデジタル情報に復調して出力する。
【００４３】
受信アンテナ２１は、送信アンテナ１８により空中に放射された電磁パルス信号を受信し、元の電気パルス信号に変換し、増幅器２２は、該変換された電気パルス信号を増幅してコンパレータ２３に供給する。
【００４４】
コンパレータ２３は、オペアンプ等から構成され、負入力端子に電圧を印可することにより若干オフセットされている。コンパレータ２３は、図５Ａに示すように、増幅器２２において増幅されたパルス信号の各パルスの大きさと閾値とを比較することにより各パルスの有無を判別する。コンパレータ２３は、図５Ｂに示すように、この判別結果に基づいてパルス信号を０／１を示す２値信号に変換して出力する。
【００４５】
第１のクロック信号生成部２４は、単位スロット期間Ｌ／ｎを周期とする第１のクロック信号を生成して同期信号検出回路２５に供給する。
【００４６】
同調信号検出回路２５は、図６に示すように、直列に接続された（ｎ−１）個の遅延素子２５１と、フリップフロップ部２５２と、論理回路部２５３と、から構成され、供給された２値信号から同期信号を検出し、同期信号が検出すると同期検出信号を第２のクロック信号生成部２６に供給する。
【００４７】
遅延素子２５１（２５１１〜２５１（ｎ−１））は、入力された２値信号を単位スロット期間Ｌ／ｎだけタイミングを遅らせて出力する。即ち、各遅延素子２５１１、２５１２、２５１３、…、２５１（ｎー１）は、夫々、Ｌ／ｎ、２Ｌ／ｎ、…、（ｎ−１）Ｌ／ｎ前のタイミングに入力された２値信号を出力する。
【００４８】
フリップフロップ部２５２は、ｎ個のディレイドフリップフロップＤ−ＦＦから構成されている。ディレイドフリップフロップＤ−ＦＦ１の２値信号入力端子は、コンパレータ２３の出力端子と、ディレイドフリップフロップＤ−ＦＦ２、Ｄ−ＦＦ３、…、Ｄ−ＦＦｎの２値信号入力端子Ｄは、夫々、各遅延素子２５１１、２５１２、…、２５１（ｎー１）の出力端子と接続されている。
【００４９】
各ディレイドフリップフロップＤ−ＦＦ１、Ｄ−ＦＦ２、Ｄ−ＦＦ３、…、Ｄ−ＦＦｎの２値入力端子Ｄには、夫々、現在のタイミング、Ｌ／ｎ前のタイミング、２Ｌ／ｎ前のタイミング、…、（ｎ−１）Ｌ／ｎ前のタイミングの２値信号が入力される。これにより、フリップフロップ部２５２には、単位フレーム分の２値信号が入力される。
【００５０】
また、フリップフロップ部２５２のクロック信号入力端子Ｃは、第１のクロック信号生成部２４に接続され、２値信号出力端子Ｑは、後述する論理回路部２５３の第１のＮＯＴ回路２５４またはＮＡＮＤ回路２５５に接続されている。
【００５１】
ディレイドフリップフロップＤ−ＦＦは、クロック信号入力端子Ｃから入力されるクロック信号をトリガとして、図７Ａ及びＢに示すような、入力された単位フレーム分の２値信号をラッチして出力する。
【００５２】
論理回路部２５３は、同期信号の所定パターンに従って配置された第１のＮＯＴ回路２５４と、ＮＡＮＤ回路２５５と、第２のＮＯＴ回路２５６と、から構成され、フリップフロップ部２５２から出力される単位フレーム分の２値信号が同期信号のパターンに一致するかを検出する。
【００５３】
供給された単位フレーム分の２値信号が同期信号のパターンに一致していない場合（図７Ａ）、論理回路部２５３は、”０”を示す２値信号を第２のクロック信号生成部２６に供給する。
【００５４】
一方、供給された単位フレーム分の２値信号が同期信号のパターンに一致している場合（図７Ｂ）、論理回路部２５３は、”１”を示す２値信号（同期検出信号）を供給することにより、同期信号の検出を第２のクロック信号生成部２６に通知する。
【００５５】
第２のクロック信号生成部２６は、同期信号検出回路２５から同期検出信号が供給されると、図８に示す単位フレーム期間Ｌを周期とする第２のクロック信号を生成し、情報検出回路２７に単位フレームの先頭スロットが入力されるタイミング（Ｔ＝０）に生成した第２のクロック信号を供給する。
【００５６】
情報検出回路２７は、図９に示すように、並列に接続されたｎ−１個の遅延素子２７１（２７１１〜２７１（ｎー１））と、ｎ個のディレイドフリップフロップ２７２（２７２１〜２７２ｎ）と、２個の情報メモリ２７３（２７３１、２７３２）と、メモリ切替部２７４と、から構成されており、入力された２値信号が示す０／１を単位フレームごとに検出する。
【００５７】
遅延素子２７１１、２７１２、…２７１（ｎー１）は、入力された第２のクロック信号を、夫々、Ｌ／ｎ、２Ｌ／ｎ、…、（ｎ−１）Ｌ／ｎだけ遅らせて出力する。この遅延素子２７１１、２７１２、…２７１（ｎー１）から遅延されて出力された第２のクロック信号は、夫々、ディレイドフリップフロップ２７２１、２７２２、…２７２（ｎー１）の第２のクロック信号入力端子Ｃに供給される。
【００５８】
遅延素子２７１（ｎー１）は、さらに、（ｎ−１）Ｌ／ｎだけ遅らせて出力した第２のクロック信号を情報メモリ２７３に供給する。
【００５９】
ディレイドフリップフロップ２７２１の第２のクロック信号入力端子は、第２のクロック信号生成部２６に接続され、ディレイドフリップフロップ２７２２、２７２３、…、２７２ｎの第２のクロック信号入力端子は、夫々、遅延素子２７１１、２７１２、…２７１（ｎー１）に接続されている。また、ディレイドフリップフロップ２７２の２値信号入力端子Ｄは、コンパレータ２３に接続され、２値信号出力端子Ｑは、情報メモリ２７３に接続されている。
【００６０】
各ディレイドフリップフロップ２７２１、２７２２、…、２７２ｎの第２のクロック信号入力端子には、夫々、Ｔ＝０、Ｔ＝Ｌ／ｎ、…、Ｔ＝（ｎ−１）Ｌ／ｎに第２のクロック信号が入力される。入力された第２のクロック信号をトリガとして、各ディレイドフリップフロップ２７２１、２７２２、…、２７２ｎの２値信号出力端子からは、夫々、Ｔ＝０、Ｔ＝Ｌ／ｎ、…、Ｔ＝（ｎ−１）Ｌ／ｎに２値信号入力端子に入力された２値信号がラッチして出力される。
【００６１】
情報メモリ２７３は、例えば、ｎ個のディレイドフリップフロップから構成され、各ディレイドフリップフロップ２７２から出力されたＴ＝０、Ｔ＝Ｌ／ｎ、…、Ｔ＝（ｎ−１）Ｌ／ｎでの２値信号が入力される。情報メモリ２７３は、Ｔ＝（ｎ−１）Ｌ／ｎになると、遅延素子２７１（ｎー１）から供給される第２のクロック信号をトリガとして、入力されたＴ＝０、Ｔ＝Ｌ／ｎ、…、Ｔ＝（ｎ−１）Ｌ／ｎでの２値信号をラッチして格納する。これにより、情報メモリ２７３には、図１０に示すように、単位フレーム分の２値信号が格納される。
【００６２】
メモリ切替部２７４は、例えば、差動ペアを形成する２個のＭＯＳトランジスタから構成されており、これらのＭＯＳトランジスタは、夫々、２個の情報メモリ２７３に接続されている。メモリ切替部２７４は、Ｔ＝Ｌになると、単位フレーム分の２値信号が格納された情報メモリ２７３１と他方の情報メモリ２７３２とを切り替える。
【００６３】
情報検出回路２７は、情報メモリ２７３１に格納されている単位フレーム分の２値信号を復調部２８に供給し、復調部２８は、供給された単位フレーム分の２値信号をデジタル情報に復調して出力する。
【００６４】
次に、上記構成を備えるＵＷＢ通信システム１の送信・受信動作について図面を参照して説明する。
【００６５】
図１１は、送信装置１０における送信動作を説明するためのフローチャート図であり、図１２は、受信装置２０における受信動作を説明するためのフローチャート図である。これらの送信・受信動作は、ＵＷＢ通信システム１に通信開始を指示することにより開始する。
【００６６】
通信開始が指示されると、送信装置１０は、情報源１１において送信対象である”０”と”１”とからなるデジタル情報を生成し、生成したデジタル情報をデータバッファ１２に格納する（ステップＳ１１０１）。
【００６７】
送信装置１０は、基準信号生成部１３が生成する基準信号がハイレベルになると、同期信号生成部１４において同期フレームのスロットに所定パターンで配置された同期信号を生成する（ステップＳ１１０２）。
【００６８】
送信装置１０は、基準信号生成部１３が生成する基準信号がローレベルになると、データバッファ１２に格納したデジタル情報を出力し、変調部１５において、この出力されたデジタル情報に応じて単位フレームの所定スロットに電気パルスを配置して変調信号を生成する（ステップＳ１１０３）。
【００６９】
加算器１６は、同期信号と変調信号とを加算して加算信号を生成する（ステップＳ１１０４）。
【００７０】
バンドパスフィルタ１７は、加算器１６で生成された加算信号から高周波成分をカットした電気パルス信号を出力する（ステップＳ１１０５）。
【００７１】
送信装置１０は、送信アンテナ１８において、電気パルス信号を電磁パルス信号に変換し、変換した電磁パルス信号を搬送波を用いずに受信装置２０に送信する（ステップＳ１１０６）。
【００７２】
受信装置２０は、受信アンテナ２１において、受信装置２０から送信された電磁パルス信号を受信し、元の電気パルス信号に変換した後、増幅器２２において増幅する（ステップＳ１２０１）。
【００７３】
受信装置２０は、コンパレータ２３において、電気パルス信号の各パルスの大きさと閾値とを比較して各パルスの有無を判別し、この判別結果に基づいて電気パルス信号を０／１を示す２値信号に変換する（ステップＳ１２０２）。
【００７４】
同期信号検出回路２５は、第１のクロック信号生成部２４で生成された第１のクロック信号を用いて、変換された２値信号から同期信号を検出し、同期信号が検出すると同期検出信号を第２のクロック信号生成部２６に供給する（ステップＳ１２０３）。
【００７５】
同期信号検出回路２５から同期検出信号が供給されると、第２のクロック信号生成部２６は、単位フレーム期間Ｌを周期とする第２のクロック信号を生成し、情報検出回路２７に単位フレームの先頭スロットが入力されるタイミング（Ｔ＝０）に生成した第２のクロック信号を供給する（ステップＳ１２０４）。
【００７６】
情報検出回路２７は、遅延素子２７１ｉ、（１≦ｉ≦ｎ−１）において、入力された第２のクロック信号をｉＬ／ｎだけ遅らせて出力する（ステップＳ１２０５）。
【００７７】
このｉＬ／ｎだけ遅らされて出力された第２のクロック信号をトリガとして、ディレイドフリップフロップ２７２ｉは、Ｔ＝ｉＬ／ｎに入力された２値信号をラッチして出力する（ステップＳ１２０６）。この出力されたＴ＝ｉＬ／ｎにおける２値信号は、情報メモリ２７３１の２値信号入力端子に入力される。
【００７８】
Ｔ＝（ｎ−１）Ｌ／ｎになると（ステップＳ１２０７にてＹＥＳ）、情報メモリ２７３１は、遅延素子２７１（ｎー１）から供給される第２のクロック信号をトリガとして、入力されたＴ＝ｉＬ／ｎでの２値信号をラッチして格納する（ステップＳ１２０８）。これにより、情報メモリ２７３１には、単位フレーム分の２値信号が格納される。
【００７９】
Ｔ＝Ｌになると、情報検出回路２７は、メモリ切替部２７４よって情報メモリ２７３１と情報メモリ２７３２とを切り替え、情報メモリ２７３１に格納された単位フレーム分の２値信号を復調部２８に供給する（ステップＳ１２０９）。
【００８０】
受信装置２０は、復調部２８において、情報メモリ２７３１に格納されている単位フレーム分の２値信号をデジタル情報に復調して出力する（ステップＳ１２１０）。
【００８１】
このように、本発明の実施の形態に係るＵＷＢ通信システム１の受信装置２０は、単位フレーム期間Ｌを周期とする第２のクロック信号を用いて受信したパルス信号を復調する。
【００８２】
このため、受信装置２０は、情報検出回路２７における動作周波数１／Ｌまで抑えることができ、低消費電力化を達成することができる。
【００８３】
本発明は、上記実施の形態に限定されず、種々の変形、応用が可能である。以下、本発明に適用可能な上記実施の形態の変形態様について、説明する。
【００８４】
上記実施の形態において、無線通信システムは、ＵＷＢ通信システムとした。しかし、本発明は、これに限定されず、パルス信号を用いて情報を伝送する他の無線通信システムであってもよい。
【００８５】
また、上記実施の形態において、ＵＷＢ通信システム１は、変調方式として、パルス位置変調方式を用いた。しかし、本発明は、これに限定されず、送信対象の情報に従ってパルスの振幅を変更するパルス振幅変調（Ｐｕｌｓｅ  Ａｍｐｌｉｔｕｄｅ  Ｍｏｄｕｌａｔｉｏｎ）方式、送信対象の情報に従ってパルスの位相を変更するパルス位相変調（Ｐｕｌｓｅ  Ｐｈａｓｅ  Ｍｏｄｕｌａｔｉｏｎ）方式及び、これらの変調方式を組み合わせた変調方式を用いてもよい。
【００８６】
さらに、上記実施の形態において、情報検出回路２７は、遅延期間がＬ／ｎの遅延素子２７１１と、２Ｌ／ｎの遅延素子２７１２と、…、（ｎ−１）Ｌ／ｎの遅延素子２７１（ｎー１）と、を並列に接続することにより、Ｔ＝Ｌ／ｎ、Ｔ＝２Ｌ／ｎ、…、Ｔ＝（ｎ−１）Ｌ／ｎのタイミングに第２のクロック信号を出力していた。しかし、本発明は、これに限定されず、情報検出回路２７は、図１３に示すように、遅延期間がＬ／ｎの遅延素子２７１１を直列に（ｎ−１）個、接続することにより、Ｔ＝Ｌ／ｎ、Ｔ＝２Ｌ／ｎ、…、Ｔ＝（ｎ−１）Ｌ／ｎのタイミングに第２のクロック信号を出力してもよい。
【００８７】
また、上記実施の形態において、情報検出回路２７は、入力された２値信号を単位フレームごとに検出していた。しかしながら、本発明は、これに限定されず、情報検出回路２７は、複数フレームごとに入力された２値信号を検出してもよい。例えば、検出する２値信号のフレーム数をｋ（ｋ：整数）とした場合、情報検出回路２７は、遅延時間がＬ／ｎの遅延素子２７１１と、２Ｌ／ｎの遅延素子２７１２と、…、（ｋ・ｎ−１）Ｌ／ｎの遅延素子２７１１（ｋ・ｎー１）と、を並列に、又は、遅延期間がＬ／ｎの遅延素子２７１１を直列に（ｋ・ｎ−１）個、接続すればよい。このような構成を情報検出回路２７を備えることにより、受信装置２０は、フレーム期間ｋ・Ｌを周期とするクロック信号を用いて受信したパルス信号を復調することが可能となる。これにより、受信装置２０は、情報検出回路２７における動作周波数を上記実施の形態での動作周波数１／Ｌよりもさらに低い１／ｋ・Ｌまで抑えることができ、低消費電力化をより一層推進することができる。
【００８８】
さらに、上記実施の形態において、情報検出回路２７は、入力された第２のクロック信号を遅延させて出力することにより、単位フレーム分の２値信号を検出していた。しかしながら、本発明は、これに限定されず、情報検出回路２７は、図１４のように構成して、コンパレータ２３から供給される２値信号に遅延させて出力することにより、単位フレーム分の２値信号を検出してもよい。
【００８９】
また、遅延素子２５１、２７１は、遅延回路、ＣＣＤ（Ｃｈａｒｇｅ  Ｃｏｕｐｌｅｄ  Ｄｅｖｉｃｅ）やＳＡＷ（Ｓｕｒｆａｃｅ  Ａｃｏｕｓｔｉｃ  Ｗａｖｅ）等、入力された信号を所定期間遅延させて出力するものであれば任意である。
【００９０】
【発明の効果】
本発明により、低消費電力で情報を復調することができる復調装置、受信装置、無線通信システム、復調方法、受信方法及び無線通信方法を提供することができる。
【図面の簡単な説明】
【図１】本発明の実施の形態に係るＵＷＢ通信システムの送信装置のブロック図である。
【図２】本発明の実施の形態に係るＵＷＢ通信システムの受信装置のブロック図である。
【図３】Ａは、基準信号生成部において生成された基準信号の波形図であり、Ｂは、同期信号生成部において生成された同期信号の波形図であり、Ｃは、変調部において生成された変調信号の波形図であり、Ｄは、加算器において加算され生成された加算信号の波形図であり、Ｅは、バンドパスフィルタにおいて高周波成分がカットされた電気パルス信号の波形図である。
【図４】Ａは、同期信号生成部において生成された同期信号を説明するための図であり、Ｂは、変調部において生成された変調信号を説明するための図である。
【図５】コンパレータにおいてパルス信号が閾値判別され、２値信号に変換される様子を説明するための図である。
【図６】受信装置を構成する同期検出回路の回路図である。
【図７】同期信号検出回路に入力された単位フレーム分の２値信号を示す図である。
【図８】第２のクロック信号生成部において生成された第２のクロック信号を示す図である。
【図９】受信装置を構成する情報検出回路のブロック図である。
【図１０】受信した電気パルス信号と情報検出回路の情報メモリに格納された単位フレーム分の２値信号との対応を示す図である。
【図１１】本発明の実施の形態に係るＵＷＢ通信システムの送信動作を示すフローチャート図である。
【図１２】本発明の実施の形態に係るＵＷＢ通信システムの受信動作を示すフローチャート図である。
【図１３】情報検出回路の第１の変形例を示す図である。
【図１４】情報検出回路の第２の変形例を示す図である。
【符号の説明】
１０…送信装置、１１…情報源、１２…データバッファ、１３…基準信号生成部、１４…同期信号生成部、１５…変調部、１６…加算器、１７…バンドパスフィルタ、１８…送信アンテナ、２１…受信アンテナ、２３…コンパレータ、２４…第１のクロック信号生成部、２５…同期信号検出回路、２５１…遅延素子、２５２…フリップフロップ部、２５３…論理回路部、２６…第２のクロック信号生成部、２７…情報検出回路、２７１…遅延素子、２７２…ディレイドフリップフロップ、２７３…情報メモリ、２７４…メモリ切替部、２８…復調部
【図１】
2004320086.tif 000003
【図２】
2004320086.tif 000004
【図３】
2004320086.tif 000005
【図４】
2004320086.tif 000006
【図５】
2004320086.tif 000007
【図６】
2004320086.tif 000008
【図７】
2004320086.tif 000009
【図８】
2004320086.tif 000010
【図９】
2004320086.tif 000011
【図１０】
2004320086.tif 000012
【図１１】
2004320086.tif 000013
【図１２】
2004320086.tif 000014
【図１３】
2004320086.tif 000015
【図１４】
2004320086.tif 000016